(57)【特許請求の範囲】
【請求項１】
第１の支持体（２０）と、
前記第１の支持体に接続された少なくとも１つの弾性的な第２の支持体（８０）と、
前記第２の支持体に接続されそれによって互に間隔を有して可動に配置された複数の皮膚係合エレメント（４０，５０，６０，７０）とを有し、前記皮膚係合エレメントの間の間隔は、シェービング中に出合う力に応答して前記皮膚係合エレメントが移動するとき変化するカミソリヘッドにおいて、
前記弾性的な第２の支持体（８０）は、前記複数の皮膚係合エレメント（４０，５０，６０，７０）の間の相対的角度位置がシェービング中に出会う力に応答して変化しないように、前記複数の皮膚係合エレメントを弾性的に連結していることを特徴とするカミソリヘッド。
【請求項２】
前記皮膚係合エレメント（４０，５０，６０）の間の前記間隔は、皮膚係合エレメントがシェービング中に出合う力に応答して移動するとき、減少する請求項１に記載のカミソリヘッド。
【請求項３】
前記皮膚係合エレメント（４０，５０，６０）は、常態で、ほぼ平行な関係に配置されている請求項１に記載のカミソリヘッド。
【請求項４】
前記皮膚係合エレメント（４０，５０，６０）は、前記皮膚係合エレメントがシェービング中に出合う力に応答して移動するときほぼ平行な関係に配置される請求項１に記載のカミソリヘッド。
【請求項５】
前記弾性的な第２の支持体（８０）は複数の弾性支持部材から成る請求項１に記載のカミソリヘッド。
【請求項６】
前記弾性的な第２の支持体（８０）は、前記複数の皮膚係合エレメント（４０，５０，６０）をそれぞれの第１の個所で連結する第１の弾性支持部材と、前記複数の皮膚係合エレメンをそれぞれの第２の個所で連結する第２の弾性支持部材とを含む請求項５のカミソリヘッド。
【請求項７】
前記第１の支持体（２０）は、前記弾性的な第２の支持体（８０）と一体的に形成されている請求項１に記載のカミソリヘッド。
【請求項８】
前記第１の支持体（２０）から上方に伸びている側壁（３０）を有する請求項１に記載のカミソリヘッド。
【請求項９】
前記弾性的な第２の支持体（８０）によって可動に支持されたキャップ部材（７０）を有する請求項１に記載のカミソリヘッド。
【請求項１０】
少なくとも３枚の刃（４０，５０，６０）を有する請求項１に記載のカミソリヘッド。
【請求項１１】
前記刃（４０，５０，６０）は、常態で、非平行な関係に配置されている請求項１に記載のカミソリヘッド。
【請求項１２】
前記弾性的な第２の支持体（８０）は、
前記第１の支持体（２０）から上方に伸びる複数の弾性支持部材から成り、第１の弾性支持部材が第２の弾性支持部材より前方に配置され、
前記弾性支持部材は、シェービング中に出合う力に応答して１つの皮膚係合エレメントの動きが他の皮膚係合エレメントの動きを生じるように前記複数の皮膚係合エレメントを相互に連結している請求項１のカミソリヘッド。
【請求項１３】
前記第１の弾性支持部材（８０，１８０，２８０，３８０）と前記第２の弾性支持部材（８０，１８０，２８０，３８０）とは互に異なる長さを有する請求項１２に記載のカミソリヘッド。
【請求項１４】
前記第１の弾性支持部材（８０，１８０，２８０，３８０）と第２の弾性支持部材（８０，１８０，２８０，３８０）は、常態で、互に異なる角度で配置されている請求項１２に記載のカミソリヘッド。
【請求項１５】
前記弾性的な第２の支持体（８０）は、少なくとも２つの前記皮膚係合エレメント（４０，５０，６０，７０）を連結している請求項１に記載のカミソリヘッド。
【請求項１６】
前記複数の皮膚係合エレメントは複数の刃（４０，５０，６０）を含み、前記弾性的な第２の支持体（８０）は、少なくとも２枚の刃を連結している請求項１に記載のカミソリヘッド。
【請求項１７】
前記キャップ部材（７０）は、前記弾性的な第２の支持体（８０）に一体的に形成されている請求項９に記載のカミソリヘッド。
【請求項１８】
前記弾性的な第２の支持体（８０）は、前記刃（４０，５０，６０）の開口部を貫通して伸びている複数の弾性支持部材を有する請求項１６に記載のカミソリヘッド。
【請求項１９】
前記弾性的な第２の支持体（８０）は、前記第１の支持体（２０）から上方に伸びている請求項１に記載のカミソリヘッド。
【請求項２０】
前記弾性的な第２の支持体（２０）は、前記第１の支持体（８０）から後方にも伸びている請求項１９に記載カミソリヘッド。
【請求項２１】
前記弾性的な第２の支持体（８０）は、前記第１の支持体（２０）から前方にも伸びている請求項１９に記載のカミソリヘッド。
【請求項２２】
弾性的なガード部材（１０）を有する請求項１に記載のカミソリヘッド。
【請求項２３】
前記側壁（３０）は、少なくとも１つの弾性材料を有する請求項８に記載のカミソリヘッド。
【請求項２４】
前記弾性的な第２の支持体（８０）は複数の弾性支持部材から成り、第１の皮膚係合エレメント（４０）と前記第１の支持体（２０）との間の第１の前記弾性支持部材の長さと、前記第１の皮膚係合エレメントと前記第１の支持体との間の第２の弾性支持部材の長さとが互に異なる請求項１に記載のカミソリヘッド。
【請求項２５】
前記弾性的な第２の支持体（８０）は複数の弾性支持部材から成り、
前記第１の皮膚係合エレメント（４０）と第２の皮膚係合エレメント（５０）との間の第１の弾性支持部材の長さと、前記第１の皮膚係合エレメントと前記第２の皮膚係合エレメントとの間の第２の弾性支持部材の長さとが互に異なる請求項１に記載のカミソリヘッド。
【請求項２６】
前記皮膚係合エレメントの少なくとも１つは、刃先を有しない刃体から成る請求項１に記載のカミソリヘッド。
【請求項２７】
少なくとも３つの皮膚係合エレメント（４０，５０，６０，７０）は、互に異なる材料から成る請求項１に記載のカミソリヘッド。
【請求項２８】
前記弾性的な第２の支持体（８０）と前記第１の支持体（２０）とは、互に異なる材料なら成る請求項１に記載のカミソリヘッド。
【発明の詳細な説明】
本発明は、シェービング装置に関し、特に少なくとも１つの、好ましくは複数の可動な皮膚係合エレメントを有するシェービング装置に関する。
発明の背景
ひげそり装置の最近の進歩は、ガード部材、シート刃及びキャップ刃がシェービング中に出会う力に応答して動く種々の動的カミソリを含む。開示された種々の装置は、シェービング力に応答して１つまたはそれ以上の刃のシェービング角度、スパン及び／または刃の露出を変化させる。
Jacobsonへの米国特許第４，５８６，２５５号に説明された１つのこのような装置は、可動なガードバー及び２つの可動な刃を有し、それらの全部は、シェービング中に出合う力に応答して動くことができるように支持構造にばね偏倚されている。その刃は、上方に偏倚された板ばねに接触する刃支持体に溶接されている。可動なガードバー及び刃は、カートリッジの端部の周りに巻き付けられた金属バンドによって支持構造内に保持される。可動な刃がシェービング中に力に出合うとき、切り傷及び切れ目をつくる危険性を最小限にするためにあまり活動しないシェービング位置へ支持構造を下方に押し付ける。溶接ステップ及びこのカートリッジの製造中に組み立てなければならない分離した部品の数に照らして、比較的低コストで迅速に製造することができる動的シェービング装置を提供することが望ましい。
前述したシステムの皮膚係合エレメントは、独立して移動するので、１つの皮膚係合エレメントに作用する力は、他の皮膚係合エレメントを余り活動しない位置に移動させることができない。従って、１つの皮膚係合エレメントの動きによって他の１つ以上の皮膚係合エレメントの位置が、変化するシェービング装置を提供することが望ましい。
また、従来の２枚刃カートリッジより安全なシェービングを行うシェービング装置を提供することが望ましい。
これら及び他の利点を、以下に詳細に説明する。
発明の概要
本発明の種々の実施例は、少なくとも１つの好ましくは複数の弾性支持部材（第２の支持体）と、間隔を置いた関係で可動に配置され弾性的に支持された複数の刃と、を有するシェービング装置を有する。
本発明の好ましい実施例は、剛性の支持ベース（第１の支持体）及び側壁を有するカミソリヘッドを有する。複数の弾性支持部材が間隔を置き、ずれた位置関係で配置され、支持ベースに一体的に成形されている。弾性支持部材は、３つの可動刃と、可動なキャップ部材とを連結する。弾性支持部材は、皮膚係合エレメントが常態の偏倚されない位置にあるとき可動な係合エレメントが互いに対して第１の距離だけ間隔を置くように、可動刃とキャップ部材を間隔を置いた関係に保持する。シェービング中に出合う力によって１つまたはそれ以上の皮膚係合エレメントが作動するとき、弾性支持部材がたわみ、刃及びキャップの各々を余り活動しな圧縮位置に移動させ、この位置において、隣接した皮膚係合エレメントの間の間隔は低減され、刃は側壁の間の空間を下方に移動する。本発明の好ましい実施例によれば、シェービング装置がその“常態”位置にあるときも、皮膚係合エレメントが圧縮状態にあるときも、刃はほぼ平行な関係に維持される。
本発明の１つの好ましい実施例では、シェービングの能率を増大するために３つの刃を備えるように構成される。他の実施例は、より少ない刃を有し、又、他の実施例は固定キャップ部材を有する。
これら及び他の実施例を図面を参照して以下に詳細に説明する。
【図面の簡単な説明】
第１図は、本発明の１つの実施例の斜視図である。
第２図は、第１図に示したカミソリヘッドの刃と第１および第２の支持体の相対位置を示す部分平面図である。
第３図は、第１図の線３−３に沿って切った断面図である。
第４図は、１つの実施例の皮膚係合エレメントの偏倚位置と非偏倚位置（点線）を示す断面図である。
第５図は、本発明の好ましい実施例の弾性支持部材の部分斜視図である。
第６図は、刃の一部を付加して第５図の線６−６に沿って切った断面図である。
第７図は、第６図に示す弾性支持部材及び刃の一部の側面図である。
第８図は、本発明の他の実施例の断面図である。
第９図Ａ乃至第９図Ｄは、本発明のいくつかの実施例の概略図である。
詳細な説明
本発明の図示した実施例は、弾性支持部材（第２の支持体）が一体的に成形された支持ベース（第１の支持体）を有するカミソリヘッドの形のシェービング装置であり、弾性支持部材は、三枚の刃及び可動なキャップ部材を支持ベースに可動に接続する。本発明は使い捨てカートリッジの形で示すが、本発明の利点は、他のカミソリヘッド及びシェービング装置にも適用可能である。この明細書で使用する用語“カミソリヘッド”は、分離したカミソリに取付可能であるように構成され製造されるカートリッジと、皮膚係合エレメントがハンドル部分と一体的に形成された使い捨てカミソリの作動部分とを含む。
図面に示したカミソリヘッドは、固定された側壁３０を有する支持ベース２０に接続された弾性ガード部材１０を有する。シート刃４０，中間刃５０，キャップ刃６０及びキャップ７０は、第３図に最もよく示すように弾性支持部材８０によって可動に支持されている。本発明の好ましい実施例によれば、弾性支持部材８０は、ベース２０と一体的に成形される。弾性支持部材は、刃を互いに、またベース２０としっかりと接続するために刃の各々の穴の周り及びそれを通って成形されることが有利である。また弾性支持部材８０の上端は、この好ましい実施例の可動なキャップ７０に一体的に成形されている。少なくとも１つの弾性支持部材の下方部分は、ガード面として作用する。
弾性支持部材８０の数は、本発明の範囲から逸脱せずに変更することができるが、図２に示した実施例は１３の弾性支持部材を有する。隣接した弾性支持部材８０は、前方に配置した弾性支持部材８０からずれて後方に配置された弾性支持部材が隣接して配置される。この弾性支持部材８０のずれた配置は、以皮膚係合エレメントの安定性を増大するように、また以下に示すように大きな設計上の融通性を提供するように、構成することが有利である。インサート成形用の成形型のキャビティ内のブレードの組み立てを容易にするために、刃はその側縁に位置決めノッチ７５を備えていることが有利である。本発明は、インサート成形処理によって製造するために特に適している。この明細書で使用する“インサート成形”は、成形型を出る製品が最終製品であり、それ以上の組み立てを必要としない成形作業をいう。
本発明の動的な側面は、シェービング中に出合う力に応答して刃とキャップ部材７０を側壁に対して下方に、すなわち、ベース２０に向けて移動することができる十分に固有の弾性を有する支持部材８０によって提供される。また、弾性支持部材８０は、シェービング力を除去したとき、“常態の”非偏倚位置に皮膚係合エレメントを戻す。第４図は、実線で示した“常態”の付勢位置にあるときの刃とキャップ部材の位置及びシェービング中に出合う力が作用するとき刃とキャップ部材７０の１つの位置を示す。本発明の独特の動的構成は、第４図から最もよく理解することができ、第４図においては、刃の間の垂直方向の間隔が減少し、刃及びキャップ部材を含む全部の皮膚係合エレメントが、シェービング力に応答してベース２０に向かって有効に圧縮される。さらに、この図示した実施例の側壁３０はベース２０に対して固定されているので、刃とキャップ７０の相対的な下方への動きは、刃縁の側壁３０に近い部分の露出を低減する傾向がある。図４から、刃またはキャップ部材７０のいずれか１つに作用する力が他の可動な皮膚係合エレメントを動かすことは理解できるあろう。
また、図示した実施例において、上方の皮膚係合エレメントは、下方の皮膚係合エレメントよりも大きく動くことは理解できよう。弾性支持部材８０とベース２０との間の取付部分からの相対的な距離の故に、例えば、キャップ刃６０は、シート刃４０よりも大きい距離移動する。
第５図乃至第７図は、弾性支持部材８０を刃５０に接続する好ましい方法を示す。図示するように、図示した弾性支持部材８０の各々は、垂直方向の部分８３によって接続された上方及び下方のほぼ水平方向の部分８２を有する。垂直方向の部分８３は、刃５０の穴５５のような刃の各々の穴を通して伸びている。穴５５の上方及び後方に配置された弾性支持部材８０の上方の内面８４は、刃の穴５５の前方及び下方に配置されている下方、内面８６のように刃５０から常態で間隔を置いており、内面８６は、刃の穴５５の前方及び下方に配置されている。上方の保持面８８及び下方の保持面８９は、刃５０の上下で穴５５の周囲の境界を越えて側方に伸びている。弾性支持部材８０の保持面は、皮膚係合エレメントがシェービング中に出合う力に応答して刃が移動するときにほぼ水平方向の方位を維持することを可能にしながら、刃を所定の位置に保持するように刃に接触する。
この説明から、ひげそり中に可動な皮膚係合エレメントに作用する力がこれらの可動な皮膚係合エレメントを弧に沿って移動させることは理解できよう。この弧の角度及び半径は、可動な皮膚係合エレメントとベース２０との間の距離に関連する有効な半径の長さによって決定される。図示した実施例において、シェービング力は、刃の角度、刃の露出及び刃とベース２０との間の距離を低減し、円滑で安全なシェービングを行う。
本発明の他の実施例によれば、弾性支持部材の長さ及び位置は、平行ではない刃の動きのような異なる所定の動作を提供するように変更し、シェービングジオメトリの活動性を増大し、或いは、シェービング中に出合う力に応答してシェービングジオメトリの活動性を低減することができる。図示した実施例において、前方及び後方の弾性支持部材８０が同じ長さを有するが、異なる長さを有することも可能である。例えば、後方の弾性支持部材の長さが前方の弾性支持部材より短い場合には、シェービング角度は、シェービング力に応答して減少する傾向がある。さらに、弾性支持部材が整列して配置されている場合には、それらは、非平行の関係で１つまたはそれ以上の刃を配置するために異なる長さに形成することができる。例えば、異なる長さで弾性支持部材を形成することによって、一方の側で他方の側よりも１つの刃を垂直方向に大きく移動させることが可能である。
また、カミソリヘッドの支持構造の他の部分に弾性支持部材を接続することも本発明の範囲内である。第１図乃至第４図に示した実施例の弾性支持部材は、支持構造の下方のベースに接続されているが、弾性支持部材を固定キャップ部材、後方壁または側壁に接続することも本発明の範囲内にある。このような場合において、当業者は、シェービング力に応答して第１図乃至第４図に示す刃と必ずしも同じように移動するものではないことを理解できるであろう。これに関して、刃の動きは、必ずしも下方に、すなわち、ベースに向かうものではない。
第８図は、弾性支持部材１８０がベース１２０から前方に傾斜している本発明の他の実施例を示す。この実施例によれば、刃の間の垂直方向の距離は、シェービング中に受ける力に応答して増加する。さらに本発明のこの実施例によれば、キャップ１７０は、弾性支持部部材に接続されず、ベース１２０に固定された関係に維持される。
第９図は、本発明のいくつかの他の実施例の部分概略図を示す。図面には１つの刃のみが概略的に示されるが、図示した実施例は、通常、いくつかの可動な皮膚係合エレメントを有する。第９図Ａは、第１図乃至第４図に示す実施例の刃の動きを示す。第９図Ｂにおいて、刃の弾性支持部材１８０は、刃のような１つの皮膚係合エレメントの動きが、可動な皮膚係合エレメントの間の垂直方向の間隔を増大させるように前方に傾斜している。第９図Ｃの概略図は、刃の弾性支持部材２８０が等しくない長さを有し、それによってシェービング中に出合う力に応答して動くときに刃の角度の変化を生じる他の実施例を示す。第９図Ｄには、刃の弾性支持部材３８０が拡開する角度に配置される他の実施例が示されている。この実施例によれば、シェービング中に出合う力に応答して刃の前方部分は上方に移動するが、刃の後方部分は、下方に移動する。またこの実施例は、刃がシェービング中に移動するとき、刃の角度に変化を与える。
本発明の他の実施例によれば、刃とキャップ部材の形の２つの皮膚係合エレメントは、少なくとも１つの弾性支持部材によって弾性的に支持される。従って、本発明の利点は、１枚刃のシェービング装置によって実現される。１つまたはそれ以上の、刃先を有しない刃体の形の皮膚係合エレメントを有することも本発明の範囲である。
さらに本発明の図示した皮膚係合エレメントは、それらに作用する力に比例した量だけを移動する。本発明は、シェービングの力の関数として、刃とキャップ部材７０との各々の動きの間の正確な共同作用を行うようにする。
すべての可動な皮膚係合エレメントが独立して移動する上述したJacobsonの特許とは異なり、本発明の図示した実施例は、シェービングジオメトリ、すなわち、シェービング角度及び刃のスパンを制御する。本発明は、シェービング中カミソリの動きの間に所定のジオメトリを維持するように、予期できる方法でこれらの可動なエレメントを制御する。特に、第１図乃至第７図に示した実施例において、シェービング力は、下方のひげそり角度を次第に増大し、スパンを次第に大きくし、これらの角度及びスパンは、所望の皮膚に対する密接を維持しながら動的安全カミソリの安全性及び快適性を提供するように構成されている。
本発明の利点は、刃の従来の実質的に剛性のガードバーによっても達成されるが、図示した実施例は、弾性的な皮膚係合部材（ガード部材）１０を有し、このガード部材１０は、通常、使い捨てカートリッジと共に使用されるタイプの剛性プラスティックのガードバーよりも、濡れた皮膚に対し高い摩擦係数を有する。図示した弾性ガード部材の材料は、ゴム状の材料であり、支持ベース２０に接続されている。この弾性材料は、例えばポリプロピレンで形成された剛性の支持ベース２０に一連の成形方法で接続されていることが好ましい。弾性ガード部材１０の材料は、例えば、マサッセッツ州レオミンスターのＪ−Ｖｏｎ社から市販されているジュロメータ３０乃至９０ＡスケールのHercuprene１０００，３０００；イリノイ州リスルのシェルケミカル社から市販されているジュロメータ３０乃至９０ＡスケールＫｒａｔｏｎＧシリーズ，モンサント社から市販されているジュローメータ３０乃至９０Ａスケールのサントプレン２２７１シリーズのような適当な耐食性弾性材料である。１つの好ましい実施例によれば、濡れた皮膚に対し剛性プラスティックより高い摩擦係数を有する弾性材料が側壁３０の上方の皮膚係合部分に配置される。
本発明の他の実施例によれば、少なくとも１つの前記刃は、ここに参考として組み込まれている米国特許第１，０３５，５４８号、米国特許第３，２６３，３３０号、米国特許第３，５０５，７３４号、米国特許第３，７５０，２８５号及び米国特許第４，１２２，００６号に示されているようなフェンシングエレメントを有する。
図示した実施例は、複数の弾性支持部材によって支持された複数の刃と可動キャップとを有するが、また本発明は、固定キャップ部材、可動側壁、及び／または図示した刃の数より少ない刃の数によっても実現される。さらに、複数の弾性支持部材が好ましいが、１つまたはそれ以上の刃を有する１つの弾性支持部材を使用するか、１枚刃の装置内で１つまたはそれ以上の弾性支持部材を使用することもできる。
本発明の他の好ましい側面は、シェービング装置の１つまたはそれ以上の皮膚係合面上にシェービング補助剤を組み合わせることである。
参考としてこの明細書に組み入れたBoothに対する米国特許第４，１７０，８２１号に示すように、シェービング補助剤は次の１つまたはそれ以上の組み合わせを有する。
Ａ．カミソリと皮膚の間の摩擦力を低減する潤滑剤、例えばマイクロカプセル型シリコンオイル。
Ｂ．カミソリ部品とシェービングする顔との間のひきずり抵抗を低減する薬剤、例えば、１００，０００と６，０００，０００との間の分子量の範囲のポリエチレンオキシド；非イオンポリアクリルアミド；及び／または“グアーガム”のような植物材料から抽出された天然の多糖類。
Ｃ．カミソリ刃がひげを容易に通過することができるように毛の化学的構造を変更する薬剤、例えば、脱毛剤がその一例である。
Ｄ．シェービング中にカミソリ部品から毛や皮膚のくずをさらに容易に流すことのできるクリーニング剤、例えば、シリコン  ポリエチレン  オキサイド  ブロック共重合体及びソジウム  ラウリル  サルフェートのような洗浄剤。
Ｅ．微生物を殺し、又は皮膚の損傷及びすり傷を修復する医薬品。
Ｆ．皮膚を柔軟、円滑にし、調整または改善する化粧品。
Ｇ．切り傷及び切れ目から生じる出血を抑制する止血剤。
別の例として、シェービング補助剤は、ＴＨｏｎｅに付与された米国特許第５，０５６，２２１号、Ｒｏｗｓｅｌｌらに付与された米国特許第４，０４４，１２０号、Ｄａｖｉｓらに付与された米国特許第５，０９５，６１９号またはミヤザキらに付与された日本特許出願平７−２４１５６号に示されている。
本発明のカミソリヘッドは、ユーザの毛ぞりの認識に影響を与える種々の感覚を生じるために皮膚係合及び皮膚非係合エレメントの双方の広範な技術的材料を使用して形成することができる。
【図１】
0003874794.tif 000002
【図３】
0003874794.tif 000003
【図２】
0003874794.tif 000004
【図４】
0003874794.tif 000005
【図５】
0003874794.tif 000006
【図６】
0003874794.tif 000007
【図７】
0003874794.tif 000008
【図８】
0003874794.tif 000009
【図９Ａ】
0003874794.tif 000010
【図９Ｂ】
0003874794.tif 000011
【図９Ｃ】
0003874794.tif 000012
【図９Ｄ】
0003874794.tif 000013